(57)【特許請求の範囲】
【請求項１】
記録媒体を移送するための記録媒体移送駆動機構と、この記録媒体移送駆動機構に直接接続され、前記記録媒体を第１の速度で移動させる第１の駆動モータと、前記記録媒体を、前記第１の速度よりも遅い第２の速度で移動させる第２の駆動モータと、この第２の駆動モータと前記記録媒体移送駆動機構を断続させるクラッチとを備え、このクラッチは、前記第２の駆動モータが正転することにより、前記第１および第２の駆動モータが協働して前記記録媒体を第１の方向に移送するように接続可能であり、前記第２の駆動モータが逆転することにより、前記第１の方向とは逆の第２の方向に前記記録媒体を移送するように接続可能であることを特徴とする記録媒体の移送駆動装置。
【請求項２】
前記第１の駆動モータは、１回の駆動において前記記録媒体を１画面分だけ移送可能であり、前記第２の駆動モータは、１回の駆動において前記記録媒体を所定量だけ移送可能であることを特徴とする請求項１に記載の記録媒体の移送駆動装置。
【請求項３】
前記クラッチは、前記記録媒体移送駆動機構に接続された被駆動ギアと、前記第２の駆動モータの回転に応じて揺動可能なアームと、このアームの揺動端に回転自在に設けられ、前記被駆動ギアに噛合可能な伝達ギアとを備え、前記伝達ギアは、前記第２の駆動モータが正転する時、前記アームが正転方向に揺動することによって前記被駆動ギアに噛合し、前記第２の駆動モータが逆転する時、前記アームが逆転方向に揺動することによって前記被駆動ギアに噛合することを特徴とする請求項１に記載の記録媒体の移送駆動装置。
【請求項４】
前記クラッチは、前記アームが揺動して前記伝達ギアが被駆動ギアに噛合した状態から、前記アームが逆方向に所定量だけ揺動することにより、前記伝達ギアが被駆動ギアから解放されることを特徴とする請求項１に記載の記録媒体の移送駆動装置。
【請求項５】
前記クラッチが接続した状態で前記記録媒体を第１の方向に移送する時、前記第１および第２の駆動モータは前記記録媒体を略同じ速さで移送することを特徴とする請求項１に記載の記録媒体の移送駆動装置。
【請求項６】
前記クラッチが接続した状態で前記記録媒体を第１の方向に移送する時、前記第１の駆動モータは前記第２の駆動モータの負荷が軽減されるように回転することを特徴とする請求項１に記載の記録媒体の移送駆動装置。
【請求項７】
前記第２の駆動モータは、１回の駆動において前記記録媒体を、前記第１の方向に所定の水平走査線分だけ移送することを特徴とする請求項１に記載の記録媒体の移送駆動装置。
【請求項８】
前記第２の駆動モータは、前記第１の駆動モータが記録媒体を１画面分だけ移送する前に、前記記録媒体を前記第２の方向に所定量だけ移動させて位置決めを行うことを特徴とする請求項１に記載の記録媒体の移送駆動装置。
【請求項９】
前記第１の駆動モータがＤＣモータであることを特徴とする請求項１に記載の記録媒体の移送駆動装置。
【請求項１０】
前記第２の駆動モータがステッピングモータであることを特徴とする請求項１に記載の記録媒体の移送駆動装置。
【発明の詳細な説明】
【０００１】
【発明の属する技術分野】
本発明は、記録媒体への画像の記録時および記録された画像を記録媒体から読み出す時に、記録媒体を移送する装置に関する。
【０００２】
【従来の技術】
従来、例えば特開平５−２２８０号公報において、記録媒体自体が直接電子的に現像され、かつその現像された可視像が即時に得られる写真材料が提案されている。このような電子的に現像される記録媒体を、この明細書では電子現像型記録媒体と呼ぶ。
【０００３】
【発明が解決しようとする課題】
このような記録媒体を用いるカメラにおいて、撮影光学系により得られた画像を記録媒体に記録する時、例えばＲ（レッド）、Ｇ（グリーン）およびＢ（ブルー）の３画面の画像を得るために第１の駆動モータによって記録媒体を１画面分ずつ移送し、また、現像された画像を記録媒体から読み出すために第２の駆動モータによって記録媒体を１水平走査線分ずつ移送するように構成することが可能である。ところがこの構成において、記録媒体の駆動機構と第１および第２の駆動モータとの間にそれぞれクラッチを設けると、構成が複雑かつ大形化するという問題が発生する。
【０００４】
本発明は、このような問題点を解決するものであり、小形かつ簡単な構成により、記録媒体を１画面分ずつ、あるいは所定の水平走査線分ずつ移送することができ、しかも記録媒体の位置決めを高精度に行うことができる記録媒体の移送駆動装置を提供することを目的としている。
【０００５】
【課題を解決するための手段】
本発明に係る第１の記録媒体の移送駆動装置は、記録媒体を移送するための記録媒体移送駆動機構と、この記録媒体移送駆動機構に直接接続され、１回の駆動において記録媒体を１画面分だけ移送可能な第１の駆動モータと、１回の駆動において記録媒体を所定量だけ移送可能な第２の駆動モータと、この第２の駆動モータと記録媒体移送駆動機構を断続させるクラッチとを備え、このクラッチは、第２の駆動モータが正転することにより、第１および第２の駆動モータが協働して記録媒体を第１の方向に移送するように接続可能であり、第２の駆動モータが逆転することにより、第１の方向とは逆の第２の方向に記録媒体を移送するように接続可能であることを特徴としている。
【０００６】
クラッチは、記録媒体移送駆動機構に接続された被駆動ギアと、第２の駆動モータの回転に応じて揺動可能なアームと、このアームの揺動端に回転自在に設けられ、被駆動ギアに噛合可能な伝達ギアとを備えていてもよく、この場合伝達ギアは、第２の駆動モータが正転する時、アームが正転方向に揺動することによって被駆動ギアに噛合し、第２の駆動モータが逆転する時、アームが逆転方向に揺動することによって被駆動ギアに噛合する。
【０００７】
クラッチは、アームが揺動して伝達ギアが被駆動ギアに噛合した状態からアームが逆方向に所定量だけ揺動することにより、伝達ギアが被駆動ギアから解放されるように構成されることが好ましい。
【０００８】
クラッチが接続した状態で記録媒体を第１の方向に移送する時、第１および第２の駆動モータは記録媒体を略同じ速さで移送することが好ましい。また、クラッチが接続した状態で記録媒体を第１の方向に移送する時、第１の駆動モータは第２の駆動モータの負荷が軽減されるように回転することが好ましい。
【０００９】
第２の駆動モータは、１回の駆動において記録媒体を、第１の方向に所定の水平走査線分だけ移送するように構成されることが好ましい。また第２の駆動モータは、第１の駆動モータが記録媒体を１画面分だけ移送する前に、記録媒体を第２の方向に所定量だけ移動させて位置決めを行ってもよい。
【００１０】
第１の駆動モータは例えばＤＣモータである。第２の駆動モータは例えばステッピングモータである。
【００１１】
本発明に係る第２の記録媒体の移送駆動装置は、記録媒体を移送するための記録媒体移送駆動機構と、この記録媒体を移送する駆動モータと、記録媒体移送駆動機構と駆動モータを接続するクラッチとを備え、クラッチは、駆動モータが正転する時、記録媒体を第１の方向に移送するように記録媒体移送駆動機構と駆動モータを接続可能であり、駆動モータが逆転する時、記録媒体を第２の方向に移送するように記録媒体移送駆動機構と駆動モータを接続可能であることを特徴としている。
【００１２】
【発明の実施の形態】
以下、本発明の実施の形態を図面を参照して説明する。
図１は本発明の一実施形態を適用したスチルビデオカメラの外観図である。
【００１３】
カメラ本体１１を前方から見ると、前面の略中央には撮影レンズ等を備えた撮影光学系１２が設けられ、撮影光学系１２の右上方にはストロボ１３が配設されている。またストロボ１３とは反対側にはレリーズボタン１４が設けられている。ファインダ１５はカメラ本体１１の上面の中央部に設けられ、カメラ本体１１の前面から後面まで延びている。ファインダ１５の側方であってカメラ本体１１の上面には、電源を投入するためのメインスイッチ１０が設けられている。カメラ本体１１の上面であって、ファインダ１５を挟んでメインスイッチ１０とは反対側には、電子現像型記録媒体３０上の画像の読取を開始するためのスキャンスタートスイッチ１６が設けられている。このカメラにより得られた画像信号を外部の記録装置等に出力するため、カメラ本体１１の側面の下部には出力端子１７が配設されている。またカメラ本体１１の側面には、電子現像型記録媒体３０を装着するためのスロット１８が形成され、スロット１８の近傍には電子現像型記録媒体３０をスロット１８から抜き取るときに押される排出スイッチ１９が設けられている。
【００１４】
図２はスチルビデオカメラのブロック図である。
システムコントロール回路２０はマイクロコンピュータであり、本スチルビデオカメラの全体の制御を行う。
【００１５】
撮影光学系１２には複数のレンズ群の他、絞り１２ａが設けられている。撮影光学系１２の後方には、電子現像型記録媒体３０が配設され、電子現像型記録媒体３０の前方にはカラーフィルタ（色分解フィルタ）７０が設けられている。撮影光学系１２とカラーフィルタ７０の間にはクイックリターンミラー２１が設けられ、クイックリターンミラー２１とカラーフィルタ７０の間にはシャッタ２２が設けられている。クイックリターンミラー２１の上方にはファインダ光学系２３のピント板２３ａが配設されている。
【００１６】
電子現像型記録媒体３０は第１〜第３の記録領域３０Ｒ、３０Ｇ、３０Ｂを備え、各記録領域３０Ｒ、３０Ｇ、３０Ｂはそれぞれ１画面分の大きさを有している。カラーフィルタ７０はＲ（レッド）フィルタ要素７０ＲとＧ（グリーン）フィルタ要素７０ＧとＢ（ブルー）フィルタ要素７０Ｂとを備え、各フィルタ要素７０Ｒ、７０Ｇ、７０Ｂは各記録領域３０Ｒ、３０Ｇ、３０Ｂと同じ大きさ、すなわち１画面分の大きさを有している。
【００１７】
絞り１２ａ、クイックリターンミラー２１およびシャッタ２２は、それぞれアイリス駆動回路２４、ミラー駆動回路２５およびシャッタ駆動回路２６によって駆動され、これらの回路２４、２５、２６は露出制御回路２７により制御される。露出制御回路２７はシステムコントロール回路２０から出力される指令信号に従って動作する。すなわち、露出制御時、測光センサ２８からの出力信号に基づく露出制御回路２７の制御に従って、絞り１２ａはアイリス駆動回路２４により開度を調整される。クイックリターンミラー２１は通常、被写体を観察するための位置であるダウン位置（実線により示される傾斜状態）に定められ、撮影光学系１２を通過した光をファインダ光学系２３に導いているが、撮影動作時、露出制御回路２７の制御に従い、ミラー駆動回路２５によって上方に回動せしめられアップ位置（破線により示される水平状態）に定められる。シャッタ２２は通常閉塞しているが、撮影動作時、露出制御回路２７の制御に従って、シャッタ駆動回路２６によって所定時間開放され、これにより撮影光学系１２を通過した光が電子現像型記録媒体３０の受光面に照射される。
【００１８】
電子現像型記録媒体３０は記録媒体駆動回路４１の制御に基づいて電圧（すなわち記録媒体活性化信号）を印加され、この電圧印加の間に露光されることによって電子現像型記録媒体３０には、撮影光学系１２によって結像された画像が可視像として現像される。なお記録媒体駆動回路４１は、システムコントロール回路２０から出力される指令信号に従って動作する。
【００１９】
シャッター２２の近傍には支持部材５０が設けられている。支持部材５０は図示しない固定枠に固定されており、支持部材５０には、例えば発光素子（ＬＥＤ）から成る光源４２とスキャナ光学系４３とラインセンサ４４がそれぞれ支持されている。ラインセンサ４４は、例えば２０００画素のＣＣＤ１次元センサ等を用いることができる。光源４２とスキャナ光学系４３とラインセンサ４４は、撮影光学系１２の光軸に略平行な方向に配列されている。
【００２０】
カラーフィルタ７０と電子現像型記録媒体３０は撮影光学系１２の光軸に垂直な方向に移動可能であり、カラーフィルタ７０はフィルタ駆動機構７１によって、また電子現像型記録媒体３０は記録媒体移送駆動機構８０によって移送される。撮影動作時、カラーフィルタ７０と電子現像型記録媒体３０は一体的に移送され、撮影光学系１２の光軸上に、Ｒフィルタ要素７０Ｒと第１の記録領域３０Ｒの中心、Ｇフィルタ要素７０Ｇと第２の記録領域３０Ｇの中心、あるいはＢフィルタ要素７０Ｂと第３の記録領域３０Ｂの中心が配置される。電子現像型記録媒体３０に記録された画像を読み出す時、カラーフィルタ７０は支持部材５０から退避した位置、例えばシャッタ２２側に位置決めされる。この状態で、電子現像型記録媒体３０の各記録領域３０Ｒ、３０Ｇ、３０Ｂが光源４２とスキャナ光学系４３の間を、スキャナ光学系４３の光軸に垂直な方向に移送される。すなわち電子現像型記録媒体３０上の画像は、光源４２によって照明され、スキャナ光学系４３の作用によってラインセンサ４４の受光面に結像される。
【００２１】
光源４２のオンオフ制御は照明光源駆動回路４５により行われ、ラインセンサ４４に発生した画素信号の読出し動作等の制御はラインセンサ駆動回路４７により行われる。これらの回路４５、４７はシステムコントロール回路２０により制御される。
【００２２】
ラインセンサ４４から読み出された画素信号は、アンプ６１により増幅され、Ａ／Ｄ変換器６２によってデジタル信号に変換される。デジタルの画素信号は、システムコントロール回路２０の制御に従って、画像処理回路６３においてシェーディング補正およびガンマ補正等の処理を施された後、メモリ６４に一時的に格納される。なおメモリ６４は、ラインセンサ４４から出力される１水平走査線分だけの記憶容量を有していてもよいが、１フレーム分の記憶容量を有するメモリであってもよい。またメモリ６４はＥ２  ＰＲＯＭを備えており、このＥ２  ＰＲＯＭにはシェーディング補正等の補正値が格納される。
【００２３】
メモリ６４から読み出された画素信号は、画像処理回路６３からインターフェイス回路６５に入力されてフォーマットの変換等の所定の処理を施され、出力端子１７を介して外部のコンピュータ（図示せず）等に出力可能である。また画像処理回路６３から出力された画素信号は、画像記録装置６７において例えばＩＣメモリカード等の記録媒体に記録可能である。インターフェイス回路６５と画像記録装置６７はシステムコントロール回路２０からの指令信号に従って動作する。
【００２４】
システムコントロール回路２０には、メインスイッチ１０、レリーズボタン１４、スキャンスタートスイッチ１６等を含む操作部７２が接続されている。この操作部７２の操作に従って、撮像動作および画像信号の読出し動作等が行われる。またシステムコントロール回路２０には、このスチルビデオカメラの種々の設定状態等を表示するための表示素子６８と、ストロボ１３の発光制御を行うためのストロボ駆動回路６９が接続されている。
【００２５】
図３は電子現像型記録媒体３０の構成を示す図であり、これは特開平５−２２８０号公報に開示されたものと同じである。
すなわち電子現像型記録媒体３０は静電情報記録媒体３１と電荷保持媒体３２を備えており、静電情報記録媒体３１と電荷保持媒体３２は電源３３によって電圧を印加される。静電情報記録媒体３１は、基板３４、電極層３５、無機酸化物層３６および光導電層３７を積層して成り、光導電層３７は電荷発生層３７ａと電荷輸送層３７ｂを重合させて構成される。電荷保持媒体３２は、液晶支持体３８と液晶電極層３９の間に例えばスメクティック液晶等のメモリ性を有する液晶４０を封入して構成される。静電情報記録媒体３１の電荷輸送層３７ｂと電荷保持媒体３２の液晶支持体３８とは微小間隙をもって対向している。
【００２６】
電源３３は記録媒体駆動回路４１によりオンオフ制御され、電源３３がオン状態のとき、電極層３５と液晶電極層３９の間、すなわち静電情報記録媒体３１と電荷保持媒体３２に電圧が印加される。この電圧印加状態で静電情報記録媒体３１が露光されると、静電情報記録媒体３１には、画像に応じた電荷が発生する。この電荷に応じて、液晶４０に作用する電界の強さが変化するため、液晶４０には、その画像が可視像として表示され、被写体像が現像される。この電荷保持媒体３２はメモリ性を有する液晶表示素子であり、現像された可視像は電界を除去しても保持される。この液晶表示素子は、加熱装置（図示せず）を用いて所定の温度に加熱することにより、現像された可視像を消去させることもでき、その場合は繰り返し同一記録媒体を用いることもできる。
【００２７】
図４および図５は電子現像型記録媒体３０の移送駆動機構８０の具体的構成を示している。また図４および図５に示す状態は、電子現像型記録媒体３０が撮像原点位置（すなわち記録動作を開始するための位置）にある。なお、これらの図においてカラーフィルタ７０は省略されている。また、図４において撮像アパーチャＡＰはシャッタ２２に対応している。
【００２８】
電子現像型記録媒体３０は、記録動作の間に、ＤＣモータ（第１の駆動モータ）９１によって１画面分ずつ高速に移送され、第１の記録領域３０ＲにＲの画像が、第２の記録領域３０ＧにＧの画像が、また第３の記録領域３０ＢにＢの画像がそれぞれ記録される。この記録動作の後、読出動作において、電子現像型記録媒体３０はステッピングモータ（第２の駆動モータ）９４によって１水平走査線分ずつ低速で移送され、Ｒ，Ｇ，Ｂの画像がラインセンサ４４（図２参照）によって読み出される。
【００２９】
電子現像型記録媒体３０は記録媒体保持部材７５に取り付けられている。電子現像型記録媒体３０が撮像原点位置にある時、第１の記録領域３０Ｒが撮像アパーチャＡＰに対向している。
【００３０】
記録媒体保持部材７５は一対のシャフト７６、７７に移動自在に支持され、記録媒体保持部材７５には固定ピン１１１により係合バネ１１２の一端が固定されている。係合バネ１１２の自由端には係合突起１１３が形成され、この係合突起１１３は記録媒体保持部材７５と平行に設けられた移送スクリュー８１の溝部に係合している。移送スクリュー８１は、その下部に設けられた軸受８２と上端に設けられた図示しない軸受によって軸心回りに回転自在に支持され、また移送スクリュー８１の下端にはギア１１７が嵌着されている。
【００３１】
ＤＣモータ９１は図示しない固定枠に設けられた支持板１１４に取り付けられ、ステッピングモータ９４は、支持板１１４に平行に設けられた支持板１１５に取り付けられている。これらの支持板１１４、１１５の間にはクラッチ１００が設けられている。
【００３２】
図６〜図８を参照してクラッチ１００およびその周辺の構成を説明する。クラッチ１００は支持板１１５（図４参照）に回転軸１３１を介して揺動自在に支持されたアーム１３２と、アーム１３２に枢支された伝達ギア１３３とを有し、伝達ギア１３３はＤＣモータ９１の出力軸に固定された被駆動ギア１１６に噛合可能である。この被駆動ギア１１６は、記録媒体移送駆動機構の移送スクリュー８１の端部に固定されたギア１１７に噛合している。すなわちＤＣモータ９１は記録媒体移送駆動機構に直接接続されている。一方ステッピングモータ９４の出力軸に固定されたギア１１８は、複数のギアから成る減速ギア機構９５のひとつのギア１２１に噛合している。この減速ギア機構９５の最終段のギア１２２は、クラッチ１００の回転軸１３１に摩擦部材を介して嵌合され、回転軸１３１に対して相対回転可能である。またギア１２２は伝達ギア１３３に噛合している。したがってアーム１３２はギア１２２の回転方向に対応して回動し、これによって伝達ギア１３３と被駆動ギア１１６との断接が可能である。
【００３３】
このようにステッピングモータ９４は、クラッチ１００を介して記録媒体移送駆動機構（すなわち移送スクリュー８１）に接続可能であり、次に述べるように、伝達ギア１３３と被駆動ギア１１６の噛合位置に応じて、電子現像型記録媒体３０の移送方向が変化する。
【００３４】
図６は伝達ギア１３３が被駆動ギア１１６から解放された状態すなわちクラッチが遮断された状態を示している。この状態からステッピングモータ９４の出力軸１１８が反時計方向（矢印Ｂ方向）に正転するとアーム１３２も正転方向（矢印Ｃ方向）に揺動し、伝達ギア１３３は被駆動ギア１１６の歯のうちステッピングモータ９４に対向した歯に噛合する。これによりステッピングモータ９４の回転は減速ギア機構９５とクラッチ１００を介して移送スクリュー８１に伝達され、移送スクリュー８１は図７において時計方向に回転し、電子現像型記録媒体３０は上昇して第１の方向に移送される。この時、ＤＣモータ９１もステッピングモータ９４の負荷軽減のために通電駆動されており、すなわちステッピングモータ９４とＤＣモータ９１は協働して電子現像型記録媒体３０を移送する。
【００３５】
これに対し、図８に示すようにステッピングモータ９４の出力軸１１８が時計方向（矢印Ｄ方向）に逆転するとアーム１３２も時計方向（矢印Ｅ方向）に揺動し、伝達ギア１３３は被駆動ギア１１６の歯のうちステッピングモータ９４に対向しない歯に噛合する。これにより移送スクリュー８１は図８において反時計方向に回転し、電子現像型記録媒体３０は下降する。すなわち電子現像型記録媒体３０は第１の方向とは逆の第２の方向に移送される。
【００３６】
図７および図８に示す噛合状態から、ステッピングモータ９４が噛合前の回転方向とは逆方向に所定量だけ回転すると、アーム１３２が逆方向に所定量だけ揺動し、これにより伝達ギア１３３が被駆動ギア１１６から解放され、図６に示す状態となる。
【００３７】
図９は、図４に示すクラッチおよびその周辺の構成を拡大するとともに、クラッチの断続状態を検出するための構成を示す図である。
【００３８】
支持板１１５には、絶縁材料から成る筒状部材１４１が嵌着されており、回転軸１３１は筒状部材１４１を介して支持板１１５に回転自在に支持されている。すなわち回転軸１３１と支持板１１５の間は電気的に絶縁されている。伝達ギア１３３は、アーム１３２に固着されたピン１４２によって、回転自在かつその軸方向に変位可能に取り付けられ、バネ１４３によって付勢されることにより、ピン１４２の下端に形成された大径部１４２ａに係合している。伝達ギア１３３、ピン１４２、アーム１３２および回転軸１３１は、それぞれ導電材料によって成形され、したがって伝達ギア１３３とアーム１３２と回転軸１３１は、電気的に接続されている。
【００３９】
支持板１１５の上面に固定された絶縁部材１４４には、バネ性を有する弾接部材１４５が設けられ、弾接部材１４５の一端は、回転軸１３１の支持板１１５から突出した軸端部１３１ａに弾接している。弾接部材１４５は導電材料から成り、回転軸１３１とは反対側の端部は、リード線１４６およびプルアップ抵抗１４７を介して電源に接続されている。リード線１４６はその途中に形成された分岐部１４６ａにおいて分岐し、システムコントロール回路２０（図２参照）に接続されている。
【００４０】
一方、移送スクリュー８１は軸受１４９を介して支持板１１５に支持され、移送スクリュー８１と軸受１４９とギア１１６、１１７は導電材料によって形成されている。支持板１１５はリード線１４８を介して接地されており、したがって被駆動ギア１１６の電位は、ギア１１７、移送スクリュー８１、軸受１４９、支持板１１５およびリード線１４８を介して接地レベルに保たれている。
【００４１】
したがって、伝達ギア１３３と被駆動ギア１１６が噛合しているとき、伝達ギア１３３、ピン１４２、アーム１３２、回転軸１３１、弾接部材１４５およびリード線１４６を介して０Ｖの電圧信号（すなわちオン信号）がシステムコントロール回路２０に出力される。これに対し、伝達ギア１３３と被駆動ギア１１６が遮断しているとき、システムコントロール回路２０には、電源、抵抗１４７およびリード線１４６を介して所定の電圧レベルの信号（すなわちオフ信号）が出力される。この電圧信号によって、システムコントロール回路２０ではクラッチの断続状態が検出される。
【００４２】
図１０は記録動作と読出動作のタイミングチャートである。この図を参照して本実施形態の作用を説明する。なお初期状態として、電子現像型記録媒体３０は図４に示す撮像原点位置に定められている。
【００４３】
レリーズボタン１４が押下されたことが検知されると（符号Ｓ１１）、測光センサ２８からの出力信号すなわち測光値が検出され、この測光値に基づいて測光演算が行われる（符号Ｓ１２）。この測光演算の結果に基づいて、絞り１２ａの開度が全開状態から所定開度まで変化する（符号Ｓ１３）。次いでクイックリターンミラー２１がダウン状態からアップ状態に変化する（符号Ｓ１４）。またステッピングモータ９４が所定の方向に所定量だけ回転して、クラッチ１００が遮断状態（図６参照）に定められる（符号Ｓ１５）。
【００４４】
ミラー２１のアップ状態への変化と絞り１２ａの開度調整が完了したことが確認されると、電子現像型記録媒体３０の第１の記録領域３０Ｒの記録媒体活性化信号がオン状態に定められ（符号Ｓ１６）、第１の記録領域３０Ｒに電圧が印加される。これとともに、シャッタ２２が測光演算（符号Ｓ１２）により得られた露光時間だけ開放する（符号Ｓ１７）。このシャッタ２２の開放動作等に先立ち、カラーフィルタ７０のＲフィルタ要素７０Ｒがシャッタ２２に対向し（符号Ｓ１８）、また電子現像型記録媒体３０の第１の記録領域３０ＲがＲフィルタ要素７０Ｒに対向している（符号Ｓ１９）。すなわち、Ｒフィルタ要素７０Ｒと第１の記録領域３０Ｒが撮影光学系１２の光路上に位置している。したがって第１の記録領域３０ＲにＲの画像が形成される。
【００４５】
なお電子現像型記録媒体３０の位置は、原点検出器（図示せず）から出力される信号と、システムコントロール回路２０から出力されるＤＣモータ９１への回転指令信号とに基づいて得られ、カラーフィルタ７０の位置も同様な構成により得られる。
【００４６】
シャッタ２２が閉じると、カラーフィルタ７０はフィルタ駆動機構７１によって、また電子現像型記録媒体３０はＤＣモータ９１が正転することによって、それぞれ１画面分だけ上昇する（符号５１）。これによりＧフィルタ要素７０Ｇと電子現像型記録媒体３０の第２の記録領域３０Ｇが撮影光学系１２の光路上に定められる。すなわちＧフィルタ要素７０Ｇがシャッタ２２に対向し（符号Ｓ２０）、第２の記録領域３０ＧがＧフィルタ要素７０Ｇに対向する（符号Ｓ２１）。次いでステッピングモータ９４が所定量だけ逆転し（符号Ｓ８１）、これによりクラッチ１００が接続状態となり（符号Ｓ８２）、電子現像型記録媒体３０が若干下降し、その位置が微調整される。なお、この微調整においてＤＣモータ９１は実質的に停止しており、ステッピングモータ９４にはＤＣモータ９１を回転させるための負荷がかかってバックラッシュ等による誤差成分が除去されるようになっている。
【００４７】
微調整の後、ステッピングモータ９４は所定量だけ正転し（符号Ｓ８３）、クラッチ１００は遮断状態となる。そして第２の記録領域３０Ｇの記録媒体活性化信号がオン状態に定められて（符号Ｓ２２）、第２の記録領域３０Ｇに電圧が印加され、またシャッタ２２が測光演算により得られた露光時間だけ開放する（符号Ｓ２３）。これによりＧの画像が第２の記録領域３０Ｇに形成される。
【００４８】
シャッタ２２が閉じると、再びカラーフィルタ７０と電子現像型記録媒体３０がそれぞれ１画面分だけ上昇する（符号Ｓ５２）。これによりＢフィルタ要素７０Ｂがシャッタ２２に対向し（符号Ｓ２４）、第３の記録領域３０ＢがＢフィルタ要素７０Ｂに対向する（符号Ｓ２５）。そしてステッピングモータ９４が所定量だけ逆転して（符号Ｓ８４）、クラッチ１００が接続状態となり（符号Ｓ８５）、電子現像型記録媒体３０の位置の微調整が行われる。この微調整の後、ステッピングモータ９４が所定量だけ正転して（符号Ｓ８６）、クラッチ１００が遮断状態となる。次いで、第３の記録領域３０Ｂの記録媒体活性化信号がオン状態に定められて（符号Ｓ２６）、第３の記録領域３０Ｂに電圧が印加され、またシャッタ２２が測光演算により得られた露光時間だけ開放する（符号Ｓ２７）。これによりＢの画像が第３の記録領域３０Ｂに形成される。
【００４９】
このようにして電子現像型記録媒体３０の記録領域３０Ｒ、３０Ｇ、３０ＢにそれぞれＲ、Ｇ、Ｂの画像が現像されると、ミラー２１がダウン状態に変化するとともに（符号Ｓ２８）、絞り１２ａが全開状態まで開放する（符号Ｓ２９）。一方、ＤＣモータ９１が駆動されて逆転し（符号Ｓ５３）、電子現像型記録媒体３０は、全ての記録領域３０Ｒ、３０Ｇ、３０Ｂが撮影光学系１２の光路から外れた位置まで下降する（符号Ｓ５４）。
【００５０】
スキャンスタートスイッチ１６が操作され、スキャナ駆動指令信号が出力されると（符号Ｓ３１）、照明用の光源４２が点灯される（符号Ｓ３２）。一方、カラーフィルタ７０はフィルタ駆動機構７１によって退避位置、すなわち全てのフィルタ要素７０Ｒ、７０Ｇ、７０Ｂが読取り（スキャナ）光学系の光路から外れた位置まで後退する（符号Ｓ３３）。またステッピングモータ９４が正転し（符号Ｓ５６）、これによりクラッチ１００において、伝達ギア１３３が被駆動ギア１１６の歯のうちステッピングモータ９４に対向した歯に噛合する（符号Ｓ５５）。この後、ステッピングモータ９４とＤＣモータ９１はシステムコントロール回路２０によって、それぞれ移送スクリュー８１が同じ速さで回転するように駆動され（符号Ｓ５６、符号Ｓ５７）、電子現像型記録媒体３０は第１の記録領域３０Ｒの上端部がラインセンサ４４に対応する位置に定められる。すなわち、この位置決め動作において電子現像型記録媒体３０は、ステッピングモータ９４とＤＣモータ９１により移送される。なおＤＣモータ９１はステッピングモータ９４の負荷が軽減されるように、意図的に通電されて回転駆動される。
【００５１】
次いでステッピングモータ９４とＤＣモータ９１が、それぞれ移送スクリュー８１が同じ速さで回転するように駆動され（符号Ｓ５８、Ｓ５９）、電子現像型記録媒体３０の第１の記録領域３０Ｒに記録された画像の走査が行われる。すなわち、電子現像型記録媒体３０の第１の記録領域３０Ｒが１水平走査線分だけ移送されて停止し、停止している間にこの記録領域３０Ｒの画像がラインセンサ４４によって検出される。このように１水平走査線分の移送においても、上述した位置決め動作と同様に、ＤＣモータ９１はステッピングモータ９４の負荷が軽減されるように回転駆動される。
【００５２】
そして、次に電子現像型記録媒体３０が１水平走査線分だけ移送される間に、ラインセンサ４４から１水平走査線分の画像信号が出力される。このような電子現像型記録媒体３０の移送とラインセンサ４４からの画像信号の出力とが繰り返され、第１の記録媒体３０Ｒの画像信号がラインセンサ４４を介して読み出される（符号Ｓ３４、符号Ｓ３５）。
【００５３】
第１の記録媒体３０Ｒの画像信号の読み出しが完了すると、ステッピングモータ９４とＤＣモータ９１は一旦停止した後、所定量だけ正転し（符号Ｓ６０、Ｓ６１）、電子現像型記録媒体３０は第２の記録領域３０Ｇの端部がラインセンサ４４に対応する位置に定められる。そして、第１の記録領域３０Ｒの画像信号の読出動作と同様にして、第２の記録領域３０Ｇに記録された画像の走査が行われる（符号Ｓ３６、符号Ｓ３７）。
【００５４】
第２の記録媒体３０Ｇの画像信号の読み出しが完了すると、ステッピングモータ９４とＤＣモータ９１は一旦停止した後、所定量だけ回転し（符号Ｓ６２、Ｓ６３）、電子現像型記録媒体３０は第３の記録領域３０Ｂの上端部がラインセンサ４４に対応する位置に定められる。そして、第３の記録領域３０Ｇに記録された画像の走査が行われる（符号Ｓ３８、符号Ｓ３９）。
【００５５】
Ｂの画像信号の出力が終了すると、ステッピングモータ９４が所定量だけ逆転し（符号Ｓ８７）、クラッチ１００が遮断状態に定められる（符号Ｓ７１）。また、光源４２が消灯され（符号Ｓ４１）、カラーフィルタ７０が所定の初期位置に定められる（符号Ｓ４２）。そしてＤＣモータ９１が逆転され（符号Ｓ４４）、電子現像型記録媒体３０は読出動作が開始される前の位置に定められる。またステッピングモータ９４は正転して（符号Ｓ８８）、クラッチ１００は接続状態に定められる（符号Ｓ８９）。
【００５６】
以上のように本実施形態では、ステッピングモータ９４により電子現像型記録媒体３０が移送される走査時、すなわちクラッチ１００が接続する時、ＤＣモータ９１は、システムコントロール回路２０の制御により、ステッピングモータ９４が電子現像型記録媒体３０を移送するのと略同じ速さで電子現像型記録媒体３０を移送するように、回転駆動される。換言すれば、クラッチ１００が接続する時、ＤＣモータ９１は、ステッピングモータ９４の負荷が軽減されるように回転駆動される。
【００５７】
したがって本実施形態によれば、ＤＣモータ９１によって電子現像型記録媒体３０を１画面分ずつ移送し、かつ電子現像型記録媒体３０から画像を読み出すためにステッピングモータ９４によって記録媒体を１水平走査線分ずつ移送する構成において、クラッチ１００がひとつだけでよいため、構成が簡単かつ小形になる。
【００５８】
また本実施形態では、ステッピングモータ９４の正転と逆転によって電子現像型記録媒体３０の移送方向を変化させることができるので、ＤＣモータ９１による移送の後に、電子現像型記録媒体３０の位置を高精度に調整することができ、Ｒ，Ｇ，Ｂの３画面の相対位置を正確に定めることが可能となる。
【００５９】
【発明の効果】
以上のように本発明によれば、小形かつ簡単な構成により、記録媒体を１画面分ずつ、あるいは所定の水平走査線分ずつ移送することができ、しかも記録媒体の位置決めを高精度に行うことができる。
【図面の簡単な説明】
【図１】本発明の一実施形態を適用したスチルビデオカメラの外観図である。
【図２】図１のスチルビデオカメラの回路構成を示すブロック図である。
【図３】電子現像型記録媒体の構成を示す図である。
【図４】記録媒体移送駆動機構の構成を示す正面図である。
【図５】記録媒体移送駆動機構の構成を示す側面図である。
【図６】遮断状態にあるクラッチを示す平面図である。
【図７】第１の接続状態にあるクラッチを示す平面図である。
【図８】第２の接続状態にあるクラッチを示す平面図である。
【図９】クラッチの断続状態を検出するための構成を示す図である。
【図１０】記録動作と読出動作を示すタイミングチャートである。
【符号の説明】
３０  電子現像型記録媒体
８０  記録媒体移送駆動機構
９１  ＤＣモータ（第１の駆動モータ）
９４  ステッピングモータ（第２の駆動モータ）
１００  クラッチ
１１６  被駆動ギア
１３２  アーム
１３３  伝達ギア
【図１】
0003574533.tif 000002
【図２】
0003574533.tif 000003
【図３】
0003574533.tif 000004
【図４】
0003574533.tif 000005
【図５】
0003574533.tif 000006
【図６】
0003574533.tif 000007
【図７】
0003574533.tif 000008
【図８】
0003574533.tif 000009
【図９】
0003574533.tif 000010
【図１０】
0003574533.tif 000011